(57)【要約】【課題】ロータを回転駆動する電動モータが非常停止したときエアー駆動モータによりロータを回転させる回転再生式空気予熱器において、安価な装置で、電動モータが非常停止した後の回転再生式空気予熱器の作動状況を検出することが可能な回転再生式空気予熱器の作動状況検出装置を提供する。【解決手段】エアー駆動モータ３５への駆動用空気の供給の有無を検出する駆動用空気供給検出装置１３と、ロータ３３の回転数を検出する回転数検出装置１５とを有し、エアー駆動モータ３５へ駆動用空気が供給された信号を受信するとロータ３３の回転数データに基づいてロータ３３の作動状況が正常か否かを判定装置１７が判定し、ロータ３３の作動が異常と判定すると警報装置１９を介して警報を発し、中央制御室の運転員などに回転再生式空気予熱器の異常を報知する。【選択図】図１
2010065929.tif 000002
【特許請求の範囲】
【請求項１】
熱交換エレメントが充填されたロータと、該ロータを回転させる電動モータと該電動モータ非常停止時にバックアップするエアー駆動モータとを有し、前記電動モータが非常停止したとき前記エアー駆動モータを自動起動させ前記ロータを回転させる駆動装置とを備え、ロータ軸を中心に前記ロータをケーシング内で回転させ、ボイラから排出される燃焼ガスとボイラへ送る燃焼用空気とを熱交換させる回転再生式空気予熱器の作動状況検出装置であって、
前記エアー駆動モータへの駆動用空気の供給の有無を検出する駆動用空気供給検出手段と、
前記ロータの回転数を検出する回転数検出手段と、
前記駆動用空気供給検出手段から駆動用空気供給有の信号を受信すると前記回転数検出手段が検出するロータの回転数データに基づいて前記ロータの作動状況が正常か否かを判定する判定手段と、
前記判定手段が前記ロータの作動が異常と判定すると該回転再生式空気予熱器の作動異常警報を発する警報手段と、
を含むことを特徴とする回転再生式空気予熱器の作動状況検出装置。
【請求項２】
前記判定手段は、前記駆動用空気供給検出手段から駆動用空気供給有の信号を受信すると、所定時間経過後の前記回転数検出手段が検出するロータの回転数データに基づいて前記ロータの作動状況が正常か否かを判定することを特徴とする請求項１に記載の回転再生式空気予熱器の作動状況検出装置。
【請求項３】
前記回転数検出手段は、ロータ位置のわずかな変位量から前記ロータの回転数を検出することを特徴とする請求項１又は２に記載の回転再生式空気予熱器の作動状況検出装置。
【請求項４】
前記回転数検出手段は、円周方向に等間隔で多数の貫通孔又はスリットを有し、ロータ軸に着脱可能に装着されロータ軸と一緒に回転する円盤と、該円盤に設けられた貫通孔又はスリットを透過する光の間隔から回転数を算出する透過形光電センサとを有することを特徴とする請求項１から３のいずれか１項に記載の回転再生式空気予熱器の作動状況検出装置。
【発明の詳細な説明】
【技術分野】
【０００１】
本発明は、ボイラに付設して設けられる空気予熱器に関し、特に伝熱体を回転させボイラから排出される排ガスとボイラの燃焼用空気との間で熱交換し燃焼用空気を予熱する回転再生式空気予熱器に関する。
【背景技術】
【０００２】
ボイラに付設して設けられる空気予熱器は、ボイラから排出される高温の燃焼ガスと低温の燃料用空気とを熱交換させ、燃焼ガスの余熱で燃料用空気を加熱する装置であり、発電所など大形のボイラ設備では回転再生式空気予熱器が多く使用されている。回転再生式空気予熱器は、伝熱体を回転させるタイプの空気予熱器と伝熱体を固定し空気フードを回転させるタイプの空気予熱器とに大別される。
【０００３】
伝熱体を回転させるタイプの回転再生式空気予熱器は、一般的に、熱交換エレメントと呼ばれる伝熱体を充填したロータ、ロータを収納するケーシングを備え、ケーシング内に収納されたロータはロータ軸を中心にケーシング内で回転する。ケーシングの両端面にはロータを２分するようにセクタープレートが設けられ、これにより燃焼ガスの流路、燃焼用空気の流路が形成される。燃焼ガスの流路には燃焼ガスのダクトが、燃焼用空気の流路に空気ダクトが接続され、それぞれ燃焼ガス及び燃焼用空気が流通する。燃焼ガスで加熱された熱交換エレメントは、回転に伴い燃焼用空気側に移動しここで燃焼用空気を加熱し、自身は空気により冷却される。これを繰り返しながら高温の燃焼ガスと低温の燃焼用空気とで熱交換し燃焼用空気を加熱する。
【０００４】
回転再生式空気予熱器は、回転機器であり、さらに高温の燃焼ガスと低温の空気とが流通するためトラブルを発生しやすい。このため回転再生式空気予熱器の性能、異常を診断、検知する装置、方法が多く提案されている。例えば、回転再生式空気予熱器において、シール部が劣化して空気の一部が燃焼ガス側に漏洩するとエネルギー効率の低下につながるとして、容易に空気漏洩状況を診断可能な空気予熱器の診断方法が提案されている（例えば特許文献１参照）。また、排ガス（燃焼ガス）中に含まれる燃料の未燃分等からなる可燃物が運転と共に蓄熱体（伝熱体）に付着、堆積し、火炉の運転条件によってはこの可燃物が発火することがある。この可燃物の発火を放置すると次第に燃え広がって排気系統内で火災が発生するため空気予熱器内での可燃物の発火を早期段階で検出する必要がある。この空気予熱器の蓄熱体に付着した可燃物の発火を迅速に検知する発火検知装置が提案されている（例えば特許文献２参照）。また回転再生式空気予熱器では、性能を水準に維持するために、燃焼ガスと空気との間のシール間隔、熱交換部の変形等を測定点検する作業が定期的行なわれており、これら点検操作を精度よく短時間で行なうことができる測定装置が提案されている（例えば特許文献３参照）。
【特許文献１】特開２００７−３１５６９６号公報
【特許文献２】特開２００５−２８３０１５号公報
【特許文献３】特開平１０−１８５１０６号公報
【発明の開示】
【発明が解決しようとする課題】
【０００５】
回転再生式空気予熱器に関しては、上記の通りトラブル等に対応するための検出装置、検出方法が検討されており、これらによりトラブルを回避することが可能となるが、完全にトラブルを回避することは困難である。このため発電所のボイラ設備では、回転再生式空気予熱器の回転駆動を司る電動モータにトラブルが発生し、電動モータが非常停止した場合に備え、空気を駆動源とするエアー駆動モータがバックアップ用として装着されている。
【０００６】
この回転再生式空気予熱器では、例えば電動モータのサーマルトリップを検知すると、この電動モータの異常を警報として報知すると共にエアー駆動モータに空気を自動供給しエアー駆動モータを用いて運転を継続する。このようなバックアップ用にエアー駆動モータが装着された回転再生式空気予熱器では、電動モータの異常警報及びエアー駆動モータへの空気供給を確認できるシステムとなっているが、エアー駆動モータに切り代わった後の回転再生式空気予熱器の作動状況を確認できるシステムとなっていない。このため運転員は、エアー駆動モータが自動起動したとしても、現場に出向き回転再生式空気予熱器の作動状況を確認する必要がある。これらから安価な装置で、電動モータが非常停止した後の回転再生式空気予熱器の作動状況を検出することが可能な装置の開発が求められている。さらにこの装置が既設の回転再生式空気予熱器に簡単に取付け使用できれば好ましい。
【０００７】
本発明の目的は、ロータを回転駆動する電動モータが非常停止したときエアー駆動モータによりロータを回転させる回転再生式空気予熱器において、安価な装置で、電動モータが非常停止した後の回転再生式空気予熱器の作動状況を検出することが可能な回転再生式空気予熱器の作動状況検出装置を提供することである。
【課題を解決するための手段】
【０００８】
請求項１に記載の本発明は、熱交換エレメントが充填されたロータと、該ロータを回転させる電動モータと該電動モータ非常停止時にバックアップするエアー駆動モータとを有し、前記電動モータが非常停止したとき前記エアー駆動モータを自動起動させ前記ロータを回転させる駆動装置とを備え、ロータ軸を中心に前記ロータをケーシング内で回転させ、ボイラから排出される燃焼ガスとボイラへ送る燃焼用空気とを熱交換させる回転再生式空気予熱器の作動状況検出装置であって、前記エアー駆動モータへの駆動用空気の供給の有無を検出する駆動用空気供給検出手段と、前記ロータの回転数を検出する回転数検出手段と、前記駆動用空気供給検出手段から駆動用空気供給有の信号を受信すると前記回転数検出手段が検出するロータの回転数データに基づいて前記ロータの作動状況が正常か否かを判定する判定手段と、前記判定手段が前記ロータの作動が異常と判定すると該回転再生式空気予熱器の作動異常警報を発する警報手段と、を含むことを特徴とする回転再生式空気予熱器の作動状況検出装置である。
【０００９】
請求項２に記載の本発明は、請求項１に記載の回転再生式空気予熱器の作動状況検出装置において、前記判定手段は、前記駆動用空気供給検出手段から駆動用空気供給有の信号を受信すると、所定時間経過後の前記回転数検出手段が検出するロータの回転数データに基づいて前記ロータの作動状況が正常か否かを判定することを特徴とする。
【００１０】
請求項３に記載の本発明は、請求項１又は２に記載の回転再生式空気予熱器の作動状況検出装置において、前記回転数検出手段は、ロータ位置のわずかな変位量から前記ロータの回転数を検出することを特徴とする。
【００１１】
請求項４に記載の本発明は、請求項１から３のいずれか１項に記載の回転再生式空気予熱器の作動状況検出装置において、前記回転数検出手段は、円周方向に等間隔で多数の貫通孔又はスリットを有し、ロータ軸に着脱可能に装着されロータ軸と一緒に回転する円盤と、該円盤に設けられた貫通孔又はスリットを透過する光の間隔から回転数を算出する透過形光電センサとを有することを特徴とする。
【発明の効果】
【００１２】
請求項１に記載の本発明によれば、エアー駆動モータへの駆動用空気の供給の有無を検出する駆動用空気供給検出手段と、ロータの回転数を検出する回転数検出手段とを有し、判定手段が、前記駆動用空気供給検出手段から駆動用空気供給有の信号を受信すると前記回転数検出手段が検出するロータの回転数データに基づいて前記ロータの作動状況が正常か否かを判定し、異常の場合には警報手段を介して警報を発するので、現場に出向かなくても回転再生式空気予熱器の作動状況を確認することができる。また本発明に係る回転再生式空気予熱器の作動状況検出装置は、上記の通り装置構成が単純であり安価である。
【００１３】
また請求項２に記載の本発明によれば、前記判定手段は、前記駆動用空気供給検出手段から駆動用空気供給有の信号を受信すると、所定時間経過後の前記回転数検出手段が検出するロータの回転数データに基づいて前記ロータの作動状況が正常か否かを判定する。これにより正常停止時の回転再生式空気予熱器の作動状況、エアー駆動モータ立ち上げ時の非定常状態の回転再生式空気予熱器の作動状況などを排除し、エアー駆動モータ立ち上げ後の定常状態の回転再生式空気予熱器の作動状況を正確に知ることができる。
【００１４】
また請求項３に記載の本発明によれば、前記回転数検出手段は、ロータ位置のわずかな変位量から前記ロータの回転数を検出するので、回転数が数ｒｐｍと遅い回転再生式空気予熱器であっても迅速に回転再生式空気予熱器の作動状況を検出することができる。
【００１５】
また請求項４に記載の本発明によれば、前記回転数検出手段は、円周方向に等間隔で多数の貫通孔又はスリットを有する円盤と、該円盤に設けられた貫通孔又はスリットを透過する光の間隔から回転数を算出する透過形光電センサとを有し、さらに円盤はロータ軸に着脱可能なので、既設の回転再生式空気予熱器にも容易に適用することができる。
【発明を実施するための最良の形態】
【００１６】
図１は、本発明の実施の一形態としての回転再生式空気予熱器３１の作動状況検出装置１１の機器構成図である。図２は、本発明の実施の一形態としての回転再生式空気予熱器３１の作動状況検出装置１１を構成する回転数検出装置１５の取付け要領を説明するための図、また図３は、回転数検出装置１５を構成する円盤２５の正面図である。ここでは発電所のボイラに付設して設けられた回転再生式空気予熱器３１の作動状況検出装置１１を例として説明する。
【００１７】
回転再生式空気予熱器３１の作動状況検出装置１１は、回転再生式空気予熱器３１のロータ３３を回転駆動させる電動モータ３７が非常停止したとき、これをバックアップするエアー駆動モータ３５による回転再生式空気予熱器３１の作動状況を検出するための装置であり、ロータ３３の回転数を検出し、これに基づき回転再生式空気予熱器３１の作動状況が正常か否か判定し、異常と判定したときに回転再生式空気予熱器３１の異常警報を発する。作動状況検出装置１１は、エアー駆動モータ３５への駆動用空気の供給の有無を検出する駆動用空気供給検出装置１３と、ロータ３３の回転数を検出する回転数検出装置１５と、駆動用空気供給検出装置１３及び回転数検出装置１５からの信号に基づきロータ３３の作動状況を判定する判定装置１７と、回転再生式空気予熱器３１の作動異常を報知する警報装置１９とを含む。
【００１８】
回転再生式空気予熱器３１は、図示を省略したボイラから排出される燃焼ガスの余熱を利用してボイラの燃焼用空気を予熱する装置である。回転再生式空気予熱器３１は、ガスが流通可能な伝熱エレメント３９を充填した複数のバケット４１を円形に配置し形成されるロータ３３を有し、ロータ３３は、ロータ３３を覆うように設けられたロータハウジング４３内に収納されている。ロータ３３は、中心部にロータ３３を回転させるためのロータ軸４５を有し、ロータ軸４５の両端は軸受４７、４９で回転自在に支持されている。ロータ３３の前面側にはロータ３３の断面を上下に２分するように、ロータ３３と所定の間隔を有する状態で低温側セクタープレート５１が、同様に背面側にはロータ３３の断面を上下に２分するように、ロータ３３と所定の間隔を有する状態で高温側セクタープレート５３が、ロータハウジング４３に固定されている。ロータハウジング４３の前面部は、低温側コネクチングダクト５５と接続し、背面部は、高温側コネクチングダクト５７と接続する。これらによりロータ３３を上下に２分割する２つのガス流路５８、５９が形成される。
【００１９】
ロータ３３の側面部６０には、全周にピンラック６１が取付けられており、ピンラック６１はロータ３３を回転駆動させるロータ駆動装置６３のピニオン６５と噛合いロータ３３が回転する。ロータ駆動装置６３は、電動モータ３７のほか電動モータ３７のバックアップモータであるエアー駆動モータ３５を備える。通常は、電動モータ３７がロータ３３を駆動し、電動モータ３７がサーマルトリップなど非常停止したときにエアー駆動モータ３５が自動起動し電動モータ３７の代わりにロータ３３を回転させる。
【００２０】
上側のガス流路５８にはボイラから排出される燃焼ガスがロータ３３の背面部側からロータ３３の前面部側に流通する。一方、下側のガス流路５９にはボイラへ送る燃焼用空気がロータ３３の前面部側からロータ３３の背面部側に流通する。燃焼ガスで加熱された伝熱エレメント３９は、ロータ３３の回転に伴い下方で燃焼用空気と接触し、燃焼用空気を加熱する。このような回転再生式空気予熱器３１では、ロータ３３の前面部側が背面部側に比較して温度が低いためロータ３３の前面部側が低温側、ロータの背面部側が高温側となる。
【００２１】
駆動用空気供給検出装置１３は、回転再生式空気予熱器３１の電動モータ３７が非常停止したときに自動起動するエアー駆動モータ３５に駆動用空気が供給されたか否かを検出する装置である。エアー駆動モータ３５は、空気供給管路２１と接続し、空気供給管路２１の途中にはリミットスイッチ付きの電磁弁２３が備えられている。この電磁弁２３は通常閉じており、電動モータ３７が非常停止しエアー駆動モータ３５の起動信号が発せられたときに開き、エアー駆動モータ３５に駆動用空気を供給する。エアー駆動モータ３５への起動信号は、図示を省略した制御装置が電動モータ３７の非常停止を検出すると発する。駆動用空気供給検出装置１３は、電磁弁２３の開閉に伴い作動するリミットスイッチの信号を検出し、検出した信号を判定装置１７に出力する。電磁弁２３のリミットスイッチと判定装置１７とを直接、電気的に接続し、電磁弁２３のリミットスイッチの信号を直接判定装置１７に送るようにし、電磁弁２３のリミットスイッチを駆動用空気供給検出装置１３としてもよい。またエアー駆動モータ３５に駆動用空気が供給されたか否かの検出方法としては、エアー駆動モータ３５入口部の空気圧力を検出してもよい。さらに電磁弁２３のリミットスイッチの信号とエアー駆動モータ３５入口部の空気圧力とからエアー駆動モータ３５に駆動用空気が供給されか否かを検出すればより確実である。
【００２２】
回転数検出装置１５は、回転再生式空気予熱器３１のロータ３３の回転数を検出し判定装置１７に当該データを出力する装置であり、ロータ軸４５に取付けられロータ軸４５と一緒に回転する円盤２５と、回転数を検出する光電センサ２７とからなる。円盤２５は、
ロータ軸４５に取付けるためのカップリング２６（２６ａ、２６ｂ）とカップリング２６に連結された円盤本体２８（２８ａ、２８ｂ）とからなり、円盤２５は中心線で２分割されている。カップリング２６の内径はロータ軸４５の外径と同一で、２つのカップリング２６ａ、２６ｂをロータ軸４５に被せ、これらをボルト締めすることで、円盤２５をロータ軸４５に取付けることができる。このように円盤２５を構成することで、簡単にロータ軸４５に着脱することができる。円盤本体２８には円周方向に等間隔で複数の貫通孔２９が穿設されている。なお貫通孔２９に代え、スリットとしてもよい。
【００２３】
光電センサ２７は、透過形のセンサであり、光を発する投光部と投光部から発せられる光を受光する受光部とが対向する位置に設けられ、投光部と受光部との間に円盤本体２８が位置するように取付けられる。光電センサ２７の受光部は、円盤本体２８に設けられた貫通孔２９が投光部と受光部との間に位置するとき光を受光し、その他のときは投光部からの光を受光することができない。ロータ軸４５を回転させるとロータ軸４５に取り付けられた円盤２５が回転し、定期的に円盤本体２８に穿設された貫通孔２９が光電センサ２７の投光部と受光部との間を横切るので、これによりロータ軸４５の回転数を検出することができる。
【００２４】
円盤２５はロータ軸４５と一緒に回転すれば、取付け位置は特に制限されないけれども、雰囲気温度を考慮すれば低温側のロータ軸４５に取付けることが好ましい。雰囲気温度が高い場合には、光電センサ２７の仕様が厳しく価格も高価となる。低い雰囲気温度と言う点では、本実施形態に示す円盤２５は回転数を測定するための貫通孔２９が、ロータ軸４５から離れているので、光電センサ２７周りの雰囲気温度が低くなり好ましい。また回転数検出装置１５は、必ずしも透過形の光電センサ２７を使用したものに限定されるものではなく、ロータ３３の回転数を精度よく検出できれば型式は特に限定されない。よって反射形の光電センサを使用して回転数を検出してもよく、さらに接触式の回転数検出装置であってもよい。但し、回転数検出装置周りの空気中のばいじん濃度が高いような場合には、この点も考慮し回転数検出装置を選定することが必要である。回転再生式空気予熱器３１のロータ回転数は、一般的に数ｒｐｍ程度であり、ロータ軸４５は一回転するに１０〜３０秒程度を要する。よって、ロータ軸４５の一回転に要する時間を計測し回転数を検出する方法では、回転数の検出を短時間で行なうことができないので好ましくない。本実施形態に示すように円盤２５の円周方向に等間隔で複数の貫通孔２９を穿設すれば、ロータ軸４５のわずかな変位量から回転数を検出することができるので好ましい。
【００２５】
判定装置１７は、回転再生式空気予熱器３１の電動モータ３７が非常停止しエアー駆動モータ３５に切り替わったとき以降のロータ３３の作動状況を判定する装置である。図４は、判定装置１７の判定手順を示すフローチャートである。また図５は、ロータ３３周りにトラブルが発生し電動モータ３７が非常停止し、エアー駆動モータ３５が自動起動しロータ３３が正常回転数となるまでのロータ回転数の経時変化の一例を模式的に示す図である。
【００２６】
判定装置１７は、駆動用空気供給検出装置１３からエアー駆動モータ３５に駆動用空気が供給された信号を受信すると（ステップＳ１）、その後、所定時間経過したか否かの判断を行なう（ステップＳ２）。ロータ３３周りにトラブルが発生し電動モータ３７が非常停止すると、エアー駆動モータ３５が自動起動するが、電動モータ３７が非常停止してもロータ３３は惰性で回転を継続し、同時にエアー駆動モータ３５が自動起動してもロータ３３が正常回転数に達するには所定の時間が必要となる。このため判定装置１７は、図５中ｔ２からｔ４までの時間に相当する時間が経過したか否かの判断を行なう。この時間は、回転再生式空気予熱器の大きさ、エアー駆動モータ３５の仕様、トラブルの発生状況などにより異なるため、予めこの時間を計測し計測した時間を設定することが好ましい。判定装置１７は、エアー駆動モータ３５に駆動用空気が供給され、さらに所定の時間が経過したと判断すると、回転数検出装置１５が検出するロータの回転数データと設定値として入力されたエアー駆動モータ３５起動後のロータ３３の正常回数数とを比較し、ロータ３３の回転数が正常か否か判断する（ステップＳ３）。ロータ３３の回転数が正常でないと判断すると、判定装置１７は、警報装置１９に警報用の信号を発する（ステップＳ４）。このような判定装置１７は、公知のプログラマブルロジックコントローラ、コンピュータを用いて実現することができる。
【００２７】
警報装置１９は、図示を省略した中央制御室に設けられ、判定装置１７からの警報信号に基づき回転再生式空気予熱器３１の異常を運転員に報知する。警報装置１９は、従来から一般的に使用されている公知の警報装置を用いることができる。
【００２８】
ロータ３３が回転していない状態が長く継続すると燃焼ガスと接する伝熱エレメント３９が異常膨張し、シール部と接触し最悪の場合には、ロータ３３の回転不能となる。ロータ３３が回転不能となると燃焼ガスと燃焼用空気との熱交換を行なうことができないため、ボイラの運転継続が困難となる。燃焼用空気、燃焼ガスの系統を２系統有するボイラ設備においては、１の回転再生式空気予熱器のロータが回転不能となると、他方の正常に動作している回転再生式空気予熱器の系統のみを用いた通風系統片系運転を行なうかボイラの運転を停止するかの判断を行なう必要がある。また所内全停電の場合には、中央制御室での確認・操作項目が多数あるため、従来の現場に出向いてエアー駆動モータ３５起動後のロータ３３の回転を確認する方法では、確認が遅くなる。このため回転再生式空気予熱器３１の電動モータ３７が非常停止したときには、エアー駆動モータ３５によりロータ３３が正常に作動していることを迅速に確認する必要がある。
【００２９】
これに対して上記実施形態で示すように本発明の回転再生式空気予熱器３１の作動状況検出装置１１は、エアー駆動モータ３５への駆動用空気の供給が検出されるとロータ３３の回転数データに基づいてロータ３３の作動状況が正常か否かを判定し、異常の場合には警報装置１９を介して警報を発するので、運転員は、短時間のうちに回転再生式空気予熱器３１の作動状況を確認することができる。運転員は現場に出向かなくても中央制御室で回転再生式空気予熱器３１の作動状況を把握することができるので、通風系統片系運転、負荷下げ、ボイラの運転継続、所内全停電後のボイラ設備の再起動などの対応を速やかに行なうことができる。またエアー駆動モータ３５への駆動用空気の供給を検出し、所定時間経過後のロータ３３の回転数データに基づいてロータ３３の作動状況が正常か否かを判定することで、不要な警報の発生を回避することが可能となり、エアー駆動モータ３５立ち上げ後の定常状態のロータ３３の作動状況を正確に知ることができる。また本発明の回転再生式空気予熱器３１の作動状況検出装置１１は、装置構成が簡単で安価であり、さらに既設の回転再生式空気予熱器にも容易に適用することができる。
【図面の簡単な説明】
【００３０】
【図１】本発明の実施の一形態としての回転再生式空気予熱器３１の作動状況検出装置１１の機器構成図である。
【図２】図１の回転数検出装置１５の取付け要領を説明するための図である。
【図３】図１の回転数検出装置１５を構成する円盤２５の正面図である。
【図４】図１の判定装置１７の判定手順を示すフローチャートである。
【図５】図１の判定装置１７の判定手順を説明するための図であって、回転再生式空気予熱器３１のロータ３３周りにトラブルが発生しロータ３３が正常回転数となるまでのロータ回転数の経時変化の一例を模式的に示す図である。
【符号の説明】
【００３１】
１１  作動状況検出装置
１３  駆動用空気供給検出装置
１５  回転数検出装置
１７  判定装置
１９  警報装置
２５  円盤
２７  光電センサ
２８  円盤本体
２９  貫通孔
３１  回転再生式空気予熱器
３３  ロータ
３５  エアー駆動モータ
３７  電動モータ
３９  伝熱エレメント
４５  ロータ軸
６３  ロータ駆動装置
【図１】
2010065929.tif 000003
【図２】
2010065929.tif 000004
【図３】
2010065929.tif 000005
【図４】
2010065929.tif 000006
【図５】
2010065929.tif 000007